(57)【要約】【課題】刈取装置の刈取穀稈の搬送速度を基準に変速することにより、脱穀装置に対するフィードチェンの搬送速度の適正化を図っているため、フィードチェン専用の変速装置が必要となり、製造コストが上昇するという課題がある。【解決手段】機体前方の刈取装置４に刈り取った穀稈を脱穀装置３の扱室に供給搬送するフィードチェン１３を設け、前記刈取装置４は油圧式無段変速装置２１により走行装置２の走行速度に同調させた変速同調駆動する構成とし、前記脱穀装置３はエンジン２０の駆動回転を一定の変速比で伝達する構成とし、前記フィードチェン１３は、前記刈取装置４に伝達される変速同調回転を伝達する変速回転伝動経路Ｄと、前記脱穀装置３に一定の変速比で伝達される定速回転伝動経路Ｔとの二系統の伝動経路により駆動する構成としたコンバイン。【選択図】図２
2015156837.tif 000002
【特許請求の範囲】
【請求項１】
機体前方の刈取装置（４）に刈り取った穀稈を脱穀装置（３）の扱室に供給搬送するフィードチェン（１３）を設け、前記刈取装置（４）は油圧式無段変速装置（２１）により走行装置（２）の走行速度に同調させた変速同調駆動する構成とし、前記脱穀装置（３）はエンジン（２０）の駆動回転を一定の変速比で伝達する構成とし、前記フィードチェン（１３）は、前記刈取装置（４）に伝達される変速同調回転を伝達する変速回転伝動経路（Ｄ）と、前記脱穀装置（３）に一定の変速比で伝達される定速回転伝動経路（Ｔ）との二系統の伝動経路により駆動する構成としたコンバイン。
【請求項２】
請求項１記載の発明において、前記変速回転伝動経路（Ｄ）と定速回転伝動経路（Ｔ）との切替は、モード切替スイッチ（５３）により行う構成としたコンバイン。
【請求項３】
請求項２記載の発明において、前記変速回転伝動経路（Ｄ）は、走行装置（２）を無段変速駆動させる油圧式無段変速装置（２１）から走行ミッション装置（２２）を経由して刈取装置（４）に伝達する伝動経路より構成し、前記定速回転伝動経路（Ｔ）は前記脱穀装置（３）に伝達する伝動経路より構成としたコンバイン。
【請求項４】
請求項２または請求項３記載の発明において、前記変速回転伝動経路（Ｄ）には変速回転伝動経路（Ｄ）からフィードチェン（１３）への駆動を入切する変速側クラッチ（５１）を設け、前記定速回転伝動経路（Ｔ）には定速回転伝動経路（Ｔ）からフィードチェン（１３）への駆動を入切する定速側クラッチ（５２）を設け、前記モード切替スイッチ（５３）の操作により変速側クラッチ（５１）と定速側クラッチ（５２）の何れかのクラッチが接続される構成としたコンバイン。
【請求項５】
請求項１または請求項２または請求項３または請求項４記載の発明において、前記定速回転伝動経路（Ｔ）に切り替えられると、エンジン（２０）の回転数を自動的に所定回転数にまで低下させる構成としたコンバイン。
【請求項６】
請求項２または請求項３または請求項４記載の発明において、モード切替スイッチ（５３）の作動と前記変速回転伝動経路（Ｄ）または定速回転伝動経路（Ｔ）への切替との間に、所定のタイムラグを設けたコンバイン。
【発明の詳細な説明】
【技術分野】
【０００１】
本発明は、コンバインに係るものである。
【背景技術】
【０００２】
従来、刈取装置を、走行装置の走行速度に同調させた変速同調駆動する構成とし、フィードチェンの搬送速度をフィードチェン専用の無段変速装置により変速する構成とし、フィードチェンは、車速との同調回転と、刈取装置の刈取穀稈の搬送速度を基準に低速と高速とに変速させる構成は、公知である（特許文献１）
【先行技術文献】
【特許文献】
【０００３】
【特許文献１】特許３４９４８７７号公報
【発明の概要】
【発明が解決しようとする課題】
【０００４】
前記公知例は、刈取装置の刈取穀稈の搬送速度を基準に変速することにより、脱穀装置に対するフィードチェンの搬送速度の適正化を図っているため、フィードチェン専用の変速装置が必要となり、製造コストが上昇するという課題がある。
また、手刈り穀稈の供給作業に対応できていないという課題がある。
本願発明は、通常の刈取脱穀作業と手扱ぎ作業との切替を容易にすると共に、フィードチェンへの伝動構成を簡素にしたものである。
【課題を解決するための手段】
【０００５】
請求項１記載の発明は、機体前方の刈取装置４に刈り取った穀稈を脱穀装置３の扱室に供給搬送するフィードチェン１３を設け、前記刈取装置４は油圧式無段変速装置２１により走行装置２の走行速度に同調させた変速同調駆動する構成とし、前記脱穀装置３はエンジン２０の駆動回転を一定の変速比で伝達する構成とし、前記フィードチェン１３は、前記刈取装置４に伝達される変速同調回転を伝達する変速回転伝動経路Ｄと、前記脱穀装置３に一定の変速比で伝達される定速回転伝動経路Ｔとの二系統の伝動経路により駆動する構成としたコンバインとしたものであり、通常の刈取脱穀作業では、変速回転伝動経路Ｄからの駆動力を受けてフィードチェン１３が作動し、手扱ぎ作業では定速回転伝動経路Ｔからの駆動力を受けてフィードチェン１３が作動する。
請求項２記載の発明は、前記変速回転伝動経路Ｄと定速回転伝動経路Ｔとの切替は、モード切替スイッチ５３により行う構成としたコンバインとしたものであり、通常の刈取脱穀作業状態ではモード切替スイッチ５３がオフとなっており、変速回転伝動経路Ｄからの走行速度に同調してフィードチェン１３の搬送速度は変速駆動し、モード切替スイッチ５３がオンになると、手扱ぎモードとなってエンジン２０の回転を通常作業時に比し低速の一定速回転として作業を行う。
請求項３記載の発明は、前記変速回転伝動経路Ｄは、走行装置２を無段変速駆動させる油圧式無段変速装置２１から走行ミッション装置２２を経由して刈取装置４に伝達する伝動経路より構成し、前記定速回転伝動経路Ｔは前記脱穀装置３に伝達する伝動経路より構成としたコンバインとしたものであり、通常の刈取脱穀作業状態では変速回転伝動経路Ｄにより走行速度に同調した駆動回転がフィードチェン１３に伝達され、手扱ぎ作業では定速回転伝動経路Ｔにより一定速回転がフィードチェン１３に伝達される。
請求項４記載の発明は、前記変速回転伝動経路Ｄには変速回転伝動経路Ｄからフィードチェン１３への駆動を入切する変速側クラッチ５１を設け、前記定速回転伝動経路Ｔには定速回転伝動経路Ｔからフィードチェン１３への駆動を入切する定速側クラッチ５２を設け、前記モード切替スイッチ５３の操作により変速側クラッチ５１と定速側クラッチ５２の何れかのクラッチが接続される構成としたコンバインとしたものであり、通常の刈取脱穀作業状態では変速側クラッチ５１が入りになって走行速度に同調してフィードチェン１３が変速駆動され、手扱ぎ作業では定速側クラッチ５２が入りになってエンジン２０の回転を一定の変速比で伝達してフィードチェン１３を駆動する。
請求項５記載の発明は、前記定速回転伝動経路Ｔに切り替えられると、エンジン２０の回転数を自動的に所定回転数にまで低下させる構成としたコンバインとしたものであり、通常作業時に比し低速にしたエンジン２０の回転を伝達してフィードチェン１３を駆動する。
請求項６記載の発明は、モード切替スイッチ５３の作動と前記変速回転伝動経路Ｄまたは定速回転伝動経路Ｔへの切替との間に、所定のタイムラグを設けたコンバインとしたものであり、モード切替スイッチ５３のオン・オフ作動すると、所定時間経過後に、伝動経路の切替を行う。
【発明の効果】
【０００６】
請求項１の発明では、作業性を向上させることができるフィードチェン１３の搬送速度の作業形態による変更構成を簡単に実現および提供できる。
請求項２記載の発明では、伝動経路の変更を簡単にできる。
請求項３記載の発明では、伝動経路の変更構成を簡単に実現できる。
請求項４記載の発明では、変速側クラッチ５１と定速側クラッチ５２によりフィードチェン１３の搬送速度の変更を円滑確実にできる。
請求項５記載の発明では、手作業で少量の穀稈を供給する手扱ぎ作業であっても、定速回転する扱胴２３によって脱穀され、扱ぎ残し発生を抑制する。
請求項６記載の発明では、モード切替スイッチ５３のオン・オフ作動の所定時間経過後に、伝動経路の切替を行うので、フィードチェン１３の搬送速度の変更を円滑確実にできる。
【図面の簡単な説明】
【０００７】
【図１】コンバインの側面図。
【図２】同伝動経路概略図。
【図３】フィードチェンの始端部付近の側面図。
【図４】搬送ガイドおよび操作レバーの分解斜視図。
【図５】フィードチェンの始端部付近の平面図。
【発明を実施するための形態】
【０００８】
本発明の一実施形態をコンバインの図面により説明すると、１はコンバインの機体フレーム、２は機体フレーム１の下方に設けた走行装置、３は機体フレーム１の上方に設けた脱穀装置、４は脱穀装置３の前側に設けた刈取装置、５は脱穀装置３の側部に設けたグレンタンク、６はグレンタンク５の前側に設けた操縦部である。
前記刈取装置４は、最先端位置に立毛する穀稈を左右に分草する分草装置８を左右に並設し、各分草装置８の後側に分草装置８が分草した穀稈を引起す引起装置９を設け、引起装置９の後側には刈刃１０を設け、刈刃１０の上方の後側には刈刃１０によって刈り取った刈取後の穀稈を後方の脱穀装置３にまで搬送する刈取穀稈搬送装置１１を設ける（図１）。
刈取穀稈搬送装置１１により終端部にまで搬送されてきた穀稈は、前記脱穀装置３のフィードチェン１３に適正姿勢で受け継ぎされて、搬送される。フィードチェン１３は、扱胴１４（図２）を内装軸架せる扱室一側の扱ぎ口に沿って張設されている（図１）。脱穀処理後の排藁は排藁チェン１５によって搬出処理されるようになっている。
【０００９】
前記フィードチェン１３は、機体を走行停止状態においても、手作業で扱室に穀稈を供給する手扱ぎ作業可能に構成する。
１６はフィードチェン１３の上方に設けた挾扼杆である。
フィードチェン１３へのエンジン２０からの回転伝達経路は、前記刈取装置４に伝達される走行速度に同調させた変速同調回転を伝達する変速回転伝動経路Ｄと、前記脱穀装置３に一定の変速比で伝達される定速回転伝動経路Ｔとの二系統の伝動経路により駆動する構成とし、フィードチェン１３は変速回転伝動経路Ｄと定速回転伝動経路Ｔとの何れかから伝達する構成とする（図２）。
そのため、通常の刈取作業形態と手扱ぎ作業形態の何れでも、円滑に作業を行える。
即ち、エンジン２０からの回転動力は、油圧式無段変速装置２１を経由した走行ミッション装置２２により走行装置２を無段変速駆動すると共に、走行ミッション装置２２を介して刈取装置４に油圧式無段変速装置２１からの走行速度に同調した変速同調回転を伝達する構成とし、一方、前記脱穀装置３には、エンジン２０からの一定の変速比の定速回転が伝達される構成とし、この変速同調回転と定速回転とをフィードチェン１３に伝達する構成としている。
【００１０】
なお、手扱ぎモードでは、エンジン２０の回転を通常作業時に比し低速の定速回転とする。
そのため、手作業で少量の穀稈を供給する手扱ぎ作業であっても、定速回転する扱胴２３によって脱穀され、扱ぎ残し発生を抑制する。
また、フィードチェン１３の穀稈搬送速度は、特別なフィードチェン１３への回転伝達機構を設けることなく、通常作業時の穀稈搬送速度よりも低速の定速回転が伝達されるので、手扱ぎ作業の安全性を向上させられる。
また、エンジン２０の低速の定速回転により脱穀装置３およびフィードチェン１３を駆動するので、省エネとなる。
フィードチェン１３へのエンジン２０の回転伝達経路の構成は、任意であるが、一例を示すと、フィードチェン１３を掛け回した始端側歯車３０の始端側軸３１と終端側歯車３２の終端側軸３３との二軸を夫々入力軸とし、始端側軸３１と終端側軸３３との何れか一方に、脱穀装置３の定速回転を、始端側軸３１と終端側軸３３との何れか他方に、油圧式無段変速装置２１からの変速同調回転を入力する構成とする。
【００１１】
本実施形態では、フィードチェン１３の始端側歯車３０の始端側軸３１を前側ギヤボックス３５に軸装し、前側ギヤボックス３５の入力軸３６の入力プーリ３７と中間プーリ３８の間にベルト３９を掛け回し、中間プーリ３８は刈取装置４への走行速度に同調した変速同調回転が伝達される変速回転軸４０に取付け、エンジン２０からの油圧式無段変速装置２１と走行ミッション装置２２とを経由させて刈取装置４に伝達する駆動回転伝動経路を、フィードチェン１３に伝達する変速回転伝動経路Ｄとして構成している。
そのため、刈取装置４からフィードチェン１３への変速回転伝動経路Ｄの構成を簡素に構成できる。
４４は脱穀装置３の唐箕、４５は一番螺旋、４６は二番螺旋、４７は揺動選別棚、４８は吸引排塵ファンであり、これらの各入力プーリ４９にエンジン２０からの駆動回転が伝達され、吸引排塵ファン４８からの駆動回転が歯車５０を介してフィードチェン１３の終端側歯車３２の終端側軸３３に伝達され、エンジン２０からフィードチェン１３の終端側軸３３に至る伝動経路を、定速回転伝動経路Ｔとして構成している。
【００１２】
前記変速回転伝動経路Ｄには変速回転伝動経路Ｄからフィードチェン１３への駆動を入切する変速側クラッチ５１を設け、定速回転伝動経路Ｔには定速回転伝動経路Ｔからフィードチェン１３への駆動を入切する定速側クラッチ５２を設ける。
通常作業状態である変速回転伝動経路Ｄから手扱ぎモードとなる定速回転伝動経路Ｔへの切替は、モード切替スイッチ５３により行う構成とする。
本実施形態のモード切替スイッチ５３はフィードチェン１３の搬送ガイド５４の操作レバー５５により入切する構成とする。
搬送ガイド５４は、フィードチェン１３の始端側歯車３０とフィードチェン１３の上方に設けた挾扼杆１６の始端部の間のフィードチェン１３の上方に設け、搬送ガイド５４とフィードチェン１３により挾扼杆１６まで穀稈を挾持搬送するものである。
【００１３】
搬送ガイド５４は、ステー５７に軸５８により、フィードチェン１３の上方に位置する穀稈案内位置と上方から退避する退避位置の間回動自在に取付け、搬送ガイド５４の外側の側方の軸５８に操作レバー５５を固定状態に取付ける。
ステー５７は刈取穀稈搬送装置１１を支持する支持部材６０に取付ける。搬送ガイド５４または操作レバー５５の基部の移動路中には、搬送ガイド５４の回動を検出するように前記モード切替スイッチ５３を設ける。
モード切替スイッチ５３は、操作レバー５５により搬送ガイド５４をフィードチェン１３の上方に位置する穀稈案内位置から退避位置に回動させると、手扱ぎモードに切り替える。
そのため、搬送ガイド５４は、通常作業状態ではフィードチェン１３の上方に位置して挾扼杆１６まで穀稈を挾持搬送すると共に、フィードチェン１３の上方に手刈り穀稈を載置するのを妨げることにより手刈り穀稈供給動作を防止でき、搬送ガイド５４を穀稈案内位置から退避位置に回動させる。
【００１４】
モード切替スイッチ５３によって定速回転伝動経路Ｔに切替られると、エンジン２０の回転を低下させる。
そのため、手作業で少量の穀稈を供給する手扱ぎ作業であっても、通常作業よりも低速で回転する扱胴２３によって脱穀され、扱ぎ残し発生を抑制する。
モード切替スイッチ５３は、押すと入切が切り替わるプッシュ式のスイッチ構成とし、搬送ガイド５４が退避位置に回動して押されると、通電して手扱ぎモードに切り替えるノーマリーオープンスイッチの構成とする。
また、モード切替スイッチ５３は、搬送ガイド５４が退避位置に回動して離れると、通電して手扱ぎモードに切り替えるノーマリークローズスイッチの構成とする。
また、モード切替スイッチ５３は、搬送ガイド５４の回動量となる軸５８の回転量（抵抗）を検出するポテンショメータ式のスイッチ構成とし、搬送ガイド５４が所定の退避位置への回動を検出して手扱ぎモードに切り替える。
【００１５】
搬送ガイド５４には、所定範囲外への回動を防止するロック装置を設ける。
そのため、機体の振動等により不用意に退避位置へ搬送ガイド５４が回動して、モード切替スイッチ５３を誤作動させるのを防止する。
また、モード切替スイッチ５３の作動と手扱ぎモードへの切替との間に所定のタイムラグを設け、手扱ぎモードへの切替の誤作動を防止する。
フィードチェン１３が手扱ぎモードとなると、操縦部６のモニタ（図示省略）にその旨を表示する。
そのため、操縦部６の操縦者は、操縦部６から離れた手扱ぎ作業者の作業状態を認識・把握できる。
フィードチェン１３が手扱ぎモード状態時に、機体を前進させると、アラーム（図示省略）によりその旨を報知する。
【００１６】
また、フィードチェン１３の手扱ぎモードの入切時に、操縦部６のホーン（図示省略）によりその旨を１秒程度の時間鳴動報知させてもよい。
上記手扱ぎモードとなると、エンジン２０の回転数を２０００ｒｐｍに低下させる。
機体所定位置には、フィードチェン１３の緊急停止スイッチ（図示省略）を設け、緊急停止スイッチが作動すると、変速側クラッチ５１を入りにする。
そのため、停止中の刈取装置４の伝動経路が、フィードチェン１３に入力され、フィードチェン１３の慣性による移動を迅速に停止させられる。
【００１７】
（実施形態の作用）
機体を走行させ、刈取装置４により圃場の穀稈を刈り取り、刈り取った穀稈は脱穀装置３に供給して脱穀する。
この場合、一般的には、先ず、圃場の四隅を手刈りし、コンバインを進入させられる空き地を形成し、この空き地から圃場の穀稈をコンバインを走行させて刈取脱穀する。
圃場の刈取脱穀が終了すると、機体を停止させ、フィードチェン１３および脱穀装置３を駆動させ、フィードチェン１３に手作業で手刈り穀稈を供給して脱穀する。
フィードチェン１３へのエンジン２０からの回転伝達経路は、前記刈取装置４に伝達される走行速度に同調させた変速同調回転を伝達する変速回転伝動経路Ｄと、前記脱穀装置３に一定の変速比で伝達される定速回転伝動経路Ｔとの二系統の伝動経路により駆動する構成とし、フィードチェン１３は変速回転伝動経路Ｄと定速回転伝動経路Ｔとの何れかから伝達する構成としているので、通常の刈取作業形態と手扱ぎ作業形態の何れでも、円滑に作業行える。
【００１８】
そのため、通常刈取作業では、エンジン２０からの回転動力が油圧式無段変速装置２１を経由した走行ミッション装置２２に伝達されて走行装置２を無段変速駆動して走行し、この走行速度に同調させ変速同調回転を刈取装置４に伝達して刈取作業を行い、一方、脱穀装置３には、エンジン２０からの一定の変速比の定速回転が伝達されて脱穀作業が行われる。
通常作業状態である変速回転伝動経路Ｄから手扱ぎモードとなる定速回転伝動経路Ｔへの切替は、モード切替スイッチ５３により行う構成としているので、モード切替スイッチ５３がオンになると、手扱ぎモードとなってエンジン２０の回転を通常作業時に比し低速の一定速回転とする。
そのため、手作業で少量の穀稈を供給する手扱ぎ作業であっても、定速回転する扱胴扱胴２３によって脱穀され、扱ぎ残し発生を抑制する。
【００１９】
また、フィードチェン１３の穀稈搬送速度は、特別なフィードチェン１３への回転伝達機構を設けることなく、通常作業時の穀稈搬送速度よりも低速の定速回転が伝達されるので、手扱ぎ作業の安全性を向上させられる。
また、エンジン２０の低速の定速回転により脱穀装置３およびフィードチェン１３を駆動するので、省エネとなる。
フィードチェン１３への変速回転伝動経路Ｄと定速回転伝動経路Ｔとの二系統の伝動経路の構成は任意であるが、例えば、フィードチェン１３を掛け回した始端側歯車３０の始端側軸３１と終端側歯車３２の終端側軸３３との二軸を夫々入力軸とし、始端側軸３１と終端側軸３３との何れか一方に、脱穀装置３の定速回転を、始端側軸３１と終端側軸３３との何れか他方に、油圧式無段変速装置２１からの変速同調回転を入力する構成とすると、特別なフィードチェン１３への回転伝達機構を設けることなく、構成でき、好適である。
【００２０】
フィードチェン１３の始端側歯車３０の始端側軸３１を前側ギヤボックス３５に軸装し、前側ギヤボックス３５の入力軸３６の入力プーリ３７と中間プーリ３８の間にベルト３９を掛け回し、中間プーリ３８は刈取装置４への走行速度に同調した変速同調回転が伝達される変速回転軸４０に取付け、エンジン２０から油圧式無段変速装置２１と走行ミッション装置２２と経由させて刈取装置４に伝動する経路を変速回転軸４０により分岐させてフィードチェン１３に伝達する変速回転伝動経路Ｄを構成しているので、刈取装置４からの駆動を刈取装置４近傍の始端側軸３１に入力することができ、フィードチェン１３への変速回転伝動経路Ｄの構成を簡素に構成できる。
一方、フィードチェン１３の終端側歯車３２の終端側軸３３は脱穀装置３の後部に設け、脱穀装置３の扱胴２３や唐箕４４等に伝達されるエンジン２０からの駆動回転をフィードチェン１３に伝達する構成とし、フィードチェン１３の終端側軸３３に至る伝動経路を、定速回転伝動経路Ｔとして構成しているので、フィードチェン１３と脱穀装置３とを連動させて行う手扱ぎ作業用の伝達経路として簡素に構成できる。
【００２１】
前記変速回転伝動経路Ｄには変速回転伝動経路Ｄからフィードチェン１３への駆動を入切する変速側クラッチ５１を設け、定速回転伝動経路Ｔには定速回転伝動経路Ｔからフィードチェン１３への駆動を入切する定速側クラッチ５２を設けているので、モード切替スイッチ５３がオンになると、変速側クラッチ５１を切りにして定速側クラッチ５２を入りにして手扱ぎ作業を行う。
また、モード切替スイッチ５３がオフになると、定速側クラッチ５２を切りにして変速側クラッチ５１を入りにして通常の刈取脱穀作業を行う。
モード切替スイッチ５３はフィードチェン１３の始端部の搬送ガイド５４により入切する構成としているので、通常作業状態では、挾扼杆１６まで穀稈を挾持搬送するために搬送ガイド５４がフィードチェン１３の上方に位置するので、手刈り穀稈は供給できず、手扱ぎモードに切替わるのを防止する。
【００２２】
搬送ガイド５４を穀稈案内位置から退避位置に回動させる操作レバー５５の手扱ぎ開始操作に連動させて、モード切替スイッチ５３をオンにして手扱ぎモードにするので、操作性を向上させられる。
モード切替スイッチ５３によって定速回転伝動経路Ｔに切替られると、エンジン２０の回転を低下させるので、手作業で少量の穀稈を供給する手扱ぎ作業であっても、通常作業よりも低速で回転する扱胴扱胴２３によって脱穀され、扱ぎ残し発生を抑制する。
また、モード切替スイッチ５３のオン・オフ作動と手扱ぎモードへの切替との間に所定のタイムラグを設けているので、手扱ぎモードへの切替の誤作動を防止する。
【００２３】
フィードチェン１３が手扱ぎモードとなると、操縦部６のモニタ（図示省略）にその旨を表示するので、操縦部６の操縦者は、操縦部６から離れた手扱ぎ作業者の作業状態を認識・把握できる。
機体所定位置には、フィードチェン１３の緊急停止スイッチ（図示省略）を設け、緊急停止スイッチが作動すると、変速側クラッチ５１を入りにするので、停止中の刈取装置４の伝動経路からの反力が、フィードチェン１３に入力され、フィードチェン１３の慣性による移動を迅速に停止させられる。
また、前記した各実施形態は、理解を容易にするために、個別または混在させて図示、あるいは説明しているが、これらは夫々種々組合せ可能であり、これらの表現によって、構成・作用等が限定されるものではなく、また、相乗効果を奏する場合も勿論存在する。
【符号の説明】
【００２４】
１…機体フレーム、２…走行装置、３…脱穀装置、４…刈取装置、５…グレンタンク、６…操縦部、８…分草装置、９…引起装置、１０…刈刃、１１…穀稈搬送装置、１３…フィードチェン、１６…挾扼杆、２０…エンジン、２１…油圧式無段変速装置、２２…走行ミッション装置、２３…扱胴、３０…始端側歯車、３１…始端側軸、３２…終端側歯車、３３…終端側軸、３５…前側ギヤボックス、３６…入力軸、３７…入力プーリ、３８…中間プーリ、３９…ベルト、４０…変速回転軸、４４…唐箕、４５…一番螺旋、４６…二番螺旋、４７…揺動選別棚、４８…吸引排塵ファン、５１…変速側クラッチ、５２…定速側クラッチ、５３…モード切替スイッチ、５４…搬送ガイド、５８…軸、５９…チェン案内レール、６０…支持部材。
【図１】
2015156837.tif 000003
【図２】
2015156837.tif 000004
【図３】
2015156837.tif 000005
【図４】
2015156837.tif 000006
【図５】
2015156837.tif 000007